(57)【要約】      （修正有）【課題】字形及び文字間隔の整った読みやすい文章を筆記することができ、かつ、練習用紙としても用いることができるレポート用紙を提供する。【解決手段】長方形状の外枠線２と、横罫線３１と縦罫線３２とにより構成され外枠線２内を同一寸法の複数の枡目４に格子状に区切る罫線３と、が描かれており、それぞれの枡目４内の同一の位置には、同一直径の円形線５が、それぞれ１つずつ描かれている。また、外枠線２、横罫線３１、縦罫線３２及び円形線５は、いずれも薄水色を用いて描かれている。【選択図】図１
0003225700.tif 000002
【実用新案登録請求の範囲】
【請求項１】
一枚の用紙、又は、相互に分離した若しくは分離可能に綴じられた複数枚の用紙、からなるレポート用紙であって、
前記用紙の表面には、長方形状の外枠線と、横罫線と縦罫線とにより構成され前記外枠線内を同一寸法の複数の枡目に格子状に区切る罫線と、が描かれており、
それぞれの前記枡目内の同一の位置には、同一直径の円形線が、それぞれ１つずつ描かれており、
前記外枠線、前記罫線及び前記円形線のうちの少なくともいずれかが、薄水色、薄茶色若しくは薄灰色等の薄色のインクを用いて描かれていることを特徴とするレポート用紙。
【請求項２】
前記インクが、複写機で複写されない程度の薄さに設定されており、
前記円形線が、前記枡目に内接しない直径に設定されるとともに、前記枡目のそれぞれの中心を円中心として描かれていることを特徴とする請求項１記載のレポート用紙。
【考案の詳細な説明】
【技術分野】
【０００１】
本考案は、文章等を筆記するレポート用紙に関する。  
【背景技術】
【０００２】
大学での授業等において、課題レポートを手書きで作成するよう指示されることがある。課題レポートに筆記される文章は、字形や文字間隔が整っている方が好ましい。
【０００３】
入試等の各種試験において、小論文等の記述式（論述）試験が行われることがある。解答用紙に筆記される文章は、字形や文字間隔が整っている方が好ましい。
【０００４】
文字本来の形状やバランスの習得を目指した文字練習帳として、例えば、特許文献１に開示された技術が知られている。
【先行技術文献】
【特許文献】
【０００５】
【特許文献１】特開２００７−３０７７１４号公報
【考案の概要】
【考案が解決しようとする課題】
【０００６】
レポート用紙に文章を筆記して提出しなければならない場面において、字形及び文字間隔の整った読みやすい文章を筆記することができるレポート用紙があれば便宜である。
【０００７】
従来の文字練習帳は、学童向け又はペン字を習う大人向けのものが多く、その殆どが習得したい任意の一文字を繰り返し筆記させることを内容とするものであり、字形及び文字間隔の整った文章を筆記するための技術を習得させることを目標とするものとは言い難い。この点、上記レポート用紙が、当該技術を習得するための練習用紙としても用いることができれば便宜である。
【０００８】
本考案は、上記課題に鑑みてなされたものであり、一次的には、字形及び文字間隔の整った読みやすい文章を筆記することができるレポート用紙を提供することを目的とし、二次的には、字形及び文字間隔の整った文章を筆記するための技術を習得するための練習用紙としても用いることができるレポート用紙を提供することを目的とする。
【課題を解決するための手段】
【０００９】
本考案に係るレポート用紙は、
一枚の用紙、又は、相互に分離した若しくは分離可能に綴じられた複数枚の用紙、からなるレポート用紙であって、
前記用紙の表面には、長方形状の外枠線と、横罫線と縦罫線とにより構成され前記外枠線内を同一寸法の複数の枡目に格子状に区切る罫線と、が描かれており、
それぞれの前記枡目内の同一の位置には、同一直径の円形線が、それぞれ１つずつ描かれており、
前記外枠線、前記縦罫及び前記円形線のうちの少なくともいずれかが、薄水色、薄茶色若しくは薄灰色等の薄色のインクを用いて描かれていることを特徴とする。
【００１０】
本考案に係るレポート用紙は、好ましくは、
前記インクが、複写機で複写されない程度の薄さに設定されており、
前記円形線が、前記枡目に内接しない直径に設定されるとともに、前記枡目のそれぞれの中心を円中心として描かれていることを特徴とする。
【考案の効果】
【００１１】
本考案に係るレポート用紙によれば、字形及び文字間隔の整った文章を筆記することができ、読みやすい手書きのレポート提出に貢献することができる。併せて、本考案に係るレポート用紙によれば、字形及び文字間隔の整った文章を筆記する技術を習得するための練習用紙としても用いることができる。
【図面の簡単な説明】
【００１２】
【図１】本考案の一実施の形態であるレポート用紙の正面図である。
【図２】図１に示すレポート用紙の使用方法を示す一部拡大図である。
【考案を実施するための形態】
【００１３】
以下、適宜図面を参照しつつ本考案の一実施の形態を具体的に説明するが、本考案は図面に示す実施の形態に限定されるものではなく、本考案の要旨を変更しない限りにおいて適宜変更可能である。
【００１４】
図１は、本考案の一実施の形態であるレポート用紙１の正面図である。図１に示すレポート用紙１は、一枚の用紙からなるレポート用紙であって、用紙の表面には、長方形状の外枠線２と、横罫線３１と縦罫線３２とにより構成され外枠線２内を同一寸法の複数の枡目４に格子状に区切る罫線３と、が描かれており、それぞれの枡目４内の同一の位置には、同一直径の円形線５が、それぞれ１つずつ描かれている。また、外枠線２、罫線３及び円形線５は、図示省略するが、いずれも薄水色を用いて描かれている。なお、用紙の裏面は白紙である。以下、レポート用紙１の構成を詳細に説明する。
【００１５】
レポート用紙１は、ボールペンや鉛筆等の筆記具を用いて筆記可能な普通紙、上質紙、又は再生紙を原材料とし、規格化された所定の外形寸法（いわゆるＡ４サイズ）に裁断された一枚の紙である。なお、本考案に係るレポート用紙としては、相互に分離した複数枚の用紙（いわゆる枚葉式）からなるものでも良く、又は、相互に分離可能に綴じられた複数枚の用紙（いわゆる製本式）からなるものでも良い。製本式の場合には、用紙の一辺を綴じて作製するが、綴じる方法は特に限定されず、のり等の接着剤やステープラーでも良く、パンチ孔を穿設してヒモで縛るようにしても良い。
【００１６】
レポート用紙１の表面には、外枠線２及び罫線３が描かれることにより、枡目４が格子状に描かれている。罫線３は、横罫線３１と縦罫線３２とにより構成される。横罫線３１は、外枠線２の横寸法と同一長さの線分であり、外枠線２の左辺と右辺とを結び、一定の行間隔Ａで相互に平行に描かれる。縦罫線３２は、外枠線２の縦寸法と同一長さの線分であり、横罫線３１と直交して、外枠線２の上辺と下辺とを結び、一定の列間隔Ｂで相互に平行に描かれる。枡目４は略正方形状に描かれているが、長方形状であっても良い。
【００１７】
さらに、レポート用紙１の表面には、正円である円形線５が描かれている。円形線５は、枡目４のそれぞれの内側の同一位置に描かれており、いずれも同一直径である。レポート用紙１に描かれる外枠線２、罫線３及び円形線５のそれぞれは実線で描かれているが、破線若しくは鎖線で描いても良く、例えば、横罫線のみを実線で描き、外枠線、縦罫線及び円形線５を破線で描くというように線種を混在させても良い。また、円形線は、楕円であっても良い。
【００１８】
前述のとおり、外枠線２、罫線３及び円形線５は、いずれも薄水色で描かれている。なお、外枠線、縦罫線及び円形線を薄水色で描き、横罫線のみを黒色で描くというように線色を混在させても良く、薄水色に変えて、薄茶色、薄灰色、薄ピンク色等の任意の色相をもつ薄色のインクを選択しても良い。
【００１９】
次に、レポート用紙１の使用方法を図２に基づいて説明する。図２は、レポート用紙１の使用方法を示す一部拡大図であり、枡目４内への文字の記入例を示している。図２に示すように、それぞれの枡目４には基本的には一文字ずつ文字が記入されるが、特に、「漢字」を記入する場合には横罫線３１及び縦罫線３２により区画された略正方形状の枡目４を境界として、その境界を越えないように記入するものとし、「ひらがな」や「カタカナ」を記入する場合には円形線５により区画された円形状の枠を境界として、その境界を超えないように記入するものとする。
【００２０】
この点、「ひらがな」よりも「漢字」の方が大きくなるように、また、曲線が多く丸みを帯びた「ひらがな」は円形を意識して、角張った「漢字」は四角形を意識して、略均等な間隔でそれぞれの文字を書くと、字形及び文字間隔の整った文章を筆記することができることが知られている。そこで、「漢字」を記入する場合には長方形状の枡目４を目印として、その枠内に「漢字」を記入することにより、その字形バランスが四角形状に整った文字を書くことができる。同様に、「ひらがな」を記入する場合には円形状の円形線５を目印として、その枠内に「ひらがな」を記入することにより、その字形バランスが円形状に整った文字を書くことができる。したがって、上記記入ルールに従って文章を筆記することにより、字形及び文字間隔の整った文章を筆記することができ、読みやすい手書きのレポート提出に貢献することができる。併せて、レポート用紙１よれば、漢字やひらがなを字形本来の特徴に即して筆記することができ、また、均整のとれた文字サイズや文字間隔を体得することができるので、字形及び文字間隔の整った文章を筆記する技術を習得するための練習用紙としても用いることができる。
【００２１】
加えて、外枠線２、横罫線３１、縦罫線３２及び円形線５は、いずれも薄色のインク（薄水色）を用いて描かれている。したがって、筆記具で記載された文字部分が、色彩的にも読み取りやすいレポート提出に貢献できる。なお、コピー機等を用いてレポート用紙１を複写等したときには、外枠線２、罫線３及び円形線５のそれぞれが複写され難いため、筆記された文章部分が読み取りやすいレポート用紙として印刷して提出することが可能となる。
【００２２】
レポート用紙１は、一枚の用紙、又は、相互に分離した複数枚の用紙、若しくは、相互に分離可能に糊等で接着された複数枚の用紙、から成るレポート用紙である。したがって、用紙自動送り機能（ソーター）を備えるコピー機やスキャナ機を用いることが可能であり、便宜である。
【００２３】
本考案に係るレポート用紙は、好ましくは、前記インクが、複写機で複写されない程度の薄さに設定される。これにより、複写機を用いて筆記後のレポート用紙を複写ないし複製したときに、筆記箇所のみが複写される一方、外枠線２、罫線３及び円形線５のそれぞれが複写されず目視できないため、筆記した部分が読みとりやすいレポート用紙として印刷して提出することが可能となる。なお、複写機で複写されない程度の薄さとは、例えば、インクの色がマンセル表示計で明度が５以上９以下のものであり、より具体的には、インクの性質や複写機の性能に応じて任意に調整される。また、横罫線を複写される濃度の黒色で描き、縦罫線と外枠線と円形線のみを当該インクで描いたレポート用紙に文章を筆記することにより、これをコピーして印刷したときに既製のレポート用紙と同様の様式（すなわち、外枠線、縦罫線や円形線が表示されない態様）のものをレポート用紙として提出することもできる。
【００２４】
また、本考案に係るレポート用紙は、好ましくは、円形線５が、枡目４に内接しない直径に設定されるとともに、枡目４のそれぞれの中心を円中心として描かれている。これにより、字形及び文字間隔の整った文章を筆記することができる。例えば、枡目の縦寸法（行間隔Ａ）を約１０ｍｍ、横寸法（列間隔Ｂ）を約１０ｍｍとし、円形線の直径Ｃを約９．５ｍｍとして枡目の中心を円中心として描くことにより、横罫線との隙間ａ及び縦罫線との隙間ｂをいずれも約０．２５ｍｍとすることができるが、これに限られず任意に設定される。
【００２５】
本考案は、上記実施の形態ないし実施例に限定されず、その考案の趣旨を逸脱しない範囲で種々変形実施が可能である。本考案に係るレポート用紙は紙質やサイズに限定はないが、例えば、既製品と同等の規格に則った書式（例えば、横罫線の本数を３４本とし、行間隔Ａ（罫線幅）を７ｍｍとする等）にあわせて、各種寸法や紙面端までの余白Ｘ（図１参照）を設定するようにしても良い。前記実施の形態においては、専ら、ひらがな及び漢字の記入例により説明したが、カタカナやアルファベット等の任意の文字及び記号を記入することもできる。また、横書きではなく、縦書きする場合のレポート用紙としても使用することができる。
【産業上の利用可能性】
【００２６】
本考案は、文章等を筆記するレポート用紙または文章等を筆記するための練習用紙として利用することが可能である。
【符号の説明】
【００２７】
１      レポート用紙
２      外枠線
３      罫線
３１    横罫線
３２    縦罫線
４      枡目
５      円形線
【図１】
0003225700.tif 000003
【図２】
0003225700.tif 000004